(57)【要約】【課題】  室内の急速冷却に寄与する熱遮蔽物体を提供することにある。  【解決手段】    エアコン５７を備えた室内６０のカーテン吊り下げ棒５０に、横方向に伸延しており当該室内６０の熱が当該カーテン５１より上方部分へ上るのを妨げる熱遮蔽物体１０を設ける。また、石油ストーブ５８を備えた室内６０のカーテン吊り下げ棒５０に、横方向に伸延しており当該室内６０の熱が当該カーテン５１より上方部分へ逃げるのを妨げる熱遮蔽物体１０を設ける。また、熱遮蔽物体１０に、下向きに熱線を反射する熱反射板１５を付加する。【選択図】      図１
2007111227.tif 000002
【特許請求の範囲】
【請求項１】
冷房設備を備えた室内のカーテン吊り下げ棒に、当該カーテン吊り下げ棒の伸延方向と同一方向に伸延しており当該室内の熱が当該カーテンより上方部分へ上るのを妨げる構成とされたことを特徴とする熱遮蔽物体。
【請求項２】
暖房設備を備えた室内のカーテン吊り下げ棒に、当該カーテン吊り下げ棒の伸延方向と同一方向に伸延しており当該室内の暖気が当該カーテンより上方部分へ逃げるのを妨げる構成とされたことを特徴とする熱遮蔽物体。
【請求項３】
下向きに熱線を反射する熱反射板を付加したことを特徴とする請求項１又は２記載の熱遮蔽物体。
【発明の詳細な説明】
【技術分野】
【０００１】
本発明は、室内の冷暖房に寄与する熱遮蔽物体に関する。
【背景技術】
【０００２】
一般家屋の室内の窓には、目隠しや遮光・遮音等のためにカーテンが設けられていることが多い。通常、カーテン５１は、図３に示すように、カーテン吊り下げ棒５０（例えば、カーテンレール）に吊り下げられている。また、窓５５の近くの壁５６には、家庭用の冷房設備５７（通称「エアコン」と称する）の室内６０側の本体５７ａが取り付けられているのが一般的である。そして、冷房設備５７の室外機（図示省略）は外（ベランダ等）へ設置される。
【０００３】
この冷房設備５７を運転すると、その空気取入口５７ｂから室内６０の空気が取り込まれ、当該空気が冷媒の気化熱によって冷やされた後に空気吹出口５７ｃから室内６０に吹き出されて室内の温度を下げる。なお、空気の熱は冷房設備５７の室外機から外へ排出される（例えば、非特許文献１参照。）。
【０００４】
また、寒い季節に、例えば室内の床上に置かれた電気ストーブ等の暖房設備（図示省略）を運転すると、当該ストーブで暖められた空気（暖気）の大部分は大きな熱蓄熱体であるカーテン（５１）を暖め、当該カーテンに蓄えられた熱は上方へ（天井へ）逃げて行く。
【非特許文献１】http://www.golddenki.com/acgenri.htm（エアコンの原理と仕組み）
【発明の開示】
【発明が解決しようとする課題】
【０００５】
ところで、家を留守にし、その後、帰宅して、すぐに上記冷房設備５７（エアコン）を運転開始しても、すぐには室内６０が冷房されないことがある。
【０００６】
また、暖房設備を運転した際に暖気が上方へ向けて逃げて室内６０の中下層部分（居住者が主に生活する領域）が暖まらないことがある。また、暖気をより長く室内に留めておくことができにくい。
【０００７】
本発明の目的は、室内の急速冷却に寄与する熱遮蔽物体を提供することにある。また、本発明の別の目的は、室内を迅速に暖めることができるとともに、暖気をより長く室内に留めておくことができる。
【課題を解決するための手段】
【０００８】
請求項１の発明は、冷房設備を備えた室内のカーテン吊り下げ棒に、当該カーテン吊り下げ棒の伸延方向と同一方向に伸延しており当該室内の熱が当該カーテンより上方部分へ上るのを妨げる構成とされたことを特徴とする熱遮蔽物体である。
【０００９】
上記請求項１の発明の場合、カーテンは日中には窓を通して太陽熱に晒され蓄熱し、それに伴い室内温度も上昇するが、かかる熱は本発明に係る熱遮蔽物体によって当該カーテンよりも上方部分へ上るのを妨げられる。同様に、カーテンと窓との間の空気も太陽熱によって暖められ上昇するが、当該空気の熱は本発明の熱遮蔽物体によって当該カーテンよりも上方部分へ上るのを妨げられる。
【００１０】
したがって、通常カーテンより上方へ設置される冷房設備（エアコン等）には、あまり温度上昇していない空気が取り込まれることになり、運転開始直後から冷たい空気を室内に吹き出すことができる。
【００１１】
請求項２の発明は、暖房設備を備えた室内のカーテン吊り下げ棒に、当該カーテン吊り下げ棒の伸延方向と同一方向に伸延しており当該室内の暖気が当該カーテンより上方部分へ逃げるのを妨げる構成とされたことを特徴とする熱遮蔽物体。
【００１２】
上記請求項２の発明の場合、寒い季節に、暖房設備を運転すると、室内の空気は暖められて行く。それに伴い、大きな蓄熱体であるカーテンには熱が蓄積されてゆく。このカーテンに溜まった熱は上方へ移動しようとするが、かかる熱（暖気）は本発明に係る熱遮蔽物体によって当該カーテンよりも上方部分へ上るのを妨げられる。したがって、カーテンに熱が効果的に蓄積されてゆき室内の暖房に寄与する。また、カーテンと窓との間の空気は冷たい外気温によって冷やされるが、当該空気（冷気）は本発明の熱遮蔽物体によって当該カーテンよりも上方部分へ上るのを妨げられる。このように、本発明の熱遮蔽物体は、暖房設備で温まった空気（暖気）が冷気と混ざるのを防ぐ作用・効果もある。その結果、室内を迅速に暖めることができ、暖気をより長く室内に留めておくことができる。
【００１３】
請求項３の発明は、下向きに熱線を反射する熱反射板を付加したものである。
【００１４】
上記請求項３の発明の場合、請求項１又は２の発明の場合と同様な作用・効果を奏し得る他、一段と熱がカーテンより上方部分へ上るのを効果的に妨げる。その結果、冷房設備を運転開始直後から冷たい空気を一段と多く室内に吹き出すことができる。また、暖房設備を運転した場合には室内を迅速に暖めることができるとともに、暖気をより長く室内に留めておくことができる。
【発明の効果】
【００１５】
請求項１の発明によれば、冷房設備を備えた室内のカーテン吊り下げ部に、当該カーテンの横方向に伸延しており当該室内の熱が当該カーテンより上方部分へ上るのを妨げる熱遮蔽物体を設けたので、カーテンは日中には窓を通して太陽熱に晒され蓄熱するが、かかる熱は上方部分へ上るのを妨げられるので、エアコン等の冷房設備はあまり温度上昇していない空気を取り込めることになり、運転開始直後から冷たい空気を室内に吹き出すことができる。これによって、室内を急速冷却することができる。
【００１６】
請求項２の発明によれば、暖房設備を備えた室内のカーテン吊り下げ棒に、当該カーテン吊り下げ棒の伸延方向と同一方向に伸延しており当該室内の暖気が当該カーテンより上方部分へ逃げるのを妨げる熱遮蔽物体を設けたので、室内を迅速に暖めることができるとともに、暖気をより長く室内に留めておくことができる。
【００１７】
請求項３の発明によれば、熱遮蔽物体に下向きに熱線を反射する熱反射板を付加したので、請求項１又は２の発明の場合と同様な効果を奏し得る他、一段と熱がカーテンより上方部分へ上るのを効果的に妨げる。これによって、冷房設備を運転開始直後から冷たい空気を一段と多く室内に吹き出すことができる。また、暖房設備を運転した場合には室内を一段と迅速に暖めることができるとともに、暖気をより一層長く室内に留めておくことができる。
【発明を実施するための最良の形態】
【００１８】
以下、本発明の実施の形態を図面を参照しながら説明する。
【００１９】
本発明に係る熱遮蔽物体１０は、図１に示すように、冷房設備（５７）を備えた室内のカーテン吊り下げ棒（５０）に設けられている。この実施形態では、本熱遮蔽物体１０を冷暖房時に役立つものとして構成されている。
【００２０】
また、図１に示すように、カーテン吊り下げ棒は、横方向（水平方向）に伸延する一対の平行なカーテンレール５０とされている。
【００２１】
通常、冷房設備（通称、エアコン５７）は、窓際の壁５６のカーテンレール５０（したがって、カーテン５１）より上方の位置に設けられる。この実施形態のエアコン５７も窓際の壁５６のカーテン５１より上方の位置に設けられている。
【００２２】
また、暖房設備（例えば、石油ストーブ５８）は、室内６０の床面上に設置される。
【００２３】
具体的には、熱遮蔽物体１０は、カーテンレール５０の伸延方向と同一方向（すなわち横方向）に伸延しており、室内６０の熱がカーテン５５より上方部分へ上るのを妨げる構成とされている。この実施形態では、熱遮蔽物体１０には、図２に示すように、板状に形成されており、その全長Ｌ１はカーテンレール５０の全長と同一（したがってカーテン５０の横方向長さＬ０よりも若干長くなるように選定されている。この熱遮蔽物体１０には、下向きに熱線を反射する熱反射板１５が付加されている。板状の熱遮蔽物体１０の図２（Ａ）中下方の側端部と熱反射板１５の図中左側端とは接合されている。
【００２４】
そして、この実施形態では、熱反射板１５の下面は、両面テープ等を用いてカーテンレール５０に固定されている。なお、熱反射板１５のカーテンレール５０への固定方法は、当該熱反射板１５を確実にカーテンレール５０に固定できれば、どのような方法によってもよい。
【００２５】
この実施形態では、図２に示すように、熱遮蔽物体１０は熱反射板１５に対して斜めとなっている。ここで、斜めの熱遮蔽物体１０は、室内６０にいる人が見やすくなるように取り付けられることになるので、この表面に模様や色等を付けてデザイン的に室内６０にアクセントをつけることができる。
【００２６】
上記構成の本発明の場合、暖かい季節（例えば、夏場）には、図３に示すように、カーテン５１は日中には窓（窓ガラス）５５を通して太陽熱に晒され蓄熱し、それに伴い室内６０の温度も上昇するが、かかる熱は本発明に係る熱遮蔽物体１０によって上方部分へ上るのを妨げられる。したがって、冷房設備５７はあまり温度上昇していない空気を取り込めることになり、運転開始直後から冷たい空気ＡＳを室内６０に吹き出すことができる。これによって、室内６０を急速冷却することができる。
【００２７】
また、冬場のように寒い季節に、図４に示す暖房設備（５８）を運転すると、室内６０の空気（ＡＤ）は暖められて行く。それに伴い、大きな蓄熱体であるカーテン５１には熱が蓄積されてゆく。このカーテン５１に溜まった熱は上方へ移動しようとするが、かかる熱（暖気）は本熱遮蔽物体１０によって当該カーテン５１よりも上方部分へ逃げるのが妨げられる。したがって、カーテン５１に熱が効果的に蓄積されてゆき室内６０（詳しくは、居住者が主に生活する室内空間６０の中下層領域）の暖房に寄与する。
【００２８】
また、カーテン５１と窓５５との間の空気も冷たい外気温によって冷やされるが、当該空気（冷気Ａ２）は本発明の熱遮蔽物体１０によって当該カーテン５１よりも上方部分へ上るのを妨げられる。  このように、本熱遮蔽物体１０は、暖房設備（５８）で温まった空気（暖気ＡＤ）が冷気Ａ２と混ざるのを防ぐ作用・効果もある。その結果、室内６０を迅速に暖めることができ、暖気をより長く室内６０に留めておくことができる。
【００２９】
また、熱遮蔽物体１０には下向きに熱線を反射する熱反射板１５が付加されているので、熱がカーテン５１より上方部分へ上るのを一段と効果的に妨げる。その結果、冷房設備（５７）を運転開始直後から冷たい空気を一段と多く室内に吹き出すことができる。また、暖房設備（５８）を運転した場合には室内６０を迅速に暖めることができるとともに、暖気（ＡＤ）をより長く室内６０に留めておくことができる。
【図面の簡単な説明】
【００３０】
【図１】本発明に係る熱遮蔽物体の全体構成を示す図である。
【図２】熱遮蔽物体を説明するための図である。
【図３】暖かい季節における本熱遮蔽物体の作用・効果を説明するための図である。
【図４】寒い季節における本熱遮蔽物体の作用・効果を説明するための図である。
【図５】従来の室内の冷房を説明するための図である。
【符号の説明】
【００３１】
１０  熱遮蔽物体
１５      熱反射板
５０  吊り下げ棒（カーテンレール）
５１  カーテン
５７  エアコン（冷房設備）
５８  石油ストーブ（暖房設備）
６０  室内
【図１】
2007111227.tif 000003
【図２】
2007111227.tif 000004
【図３】
2007111227.tif 000005
【図４】
2007111227.tif 000006
【図５】
2007111227.tif 000007